(57)【要約】      （修正有）【課題】地震が発生したときに自動販売機が転倒するのを確実に防止できる自動販売機の転倒防止板を提供すること。【解決手段】概ね長方形状をした厚さ２〜３ｍｍの金属製板をＣ字曲げした基板３とハット曲げした補強板４を重ね合せて固定する。このとき補強板４は基板３より１ｍｍ低くなるように加工する。このとき転倒防止板は床に置いた状態で補強板４は床面に接していない。このような構成の転倒防止板に重量が約３００〜５００Ｋｇの自動販売機を乗せると基板３が反り補強板４が床面に接するようになる。この基板３の反りは自動販売機が転倒するのを防止する方向に作用し、床面に対しバランス良く密着する効果がある。【選択図】図３
2009104572.tif 000002
【特許請求の範囲】
【請求項１】
概ね長方形状をした厚さ２〜３ｍｍの金属製板をＣ字曲げした基板（３）と、ハット曲げした補強板（４）を重ね合せて固定し、従来の転倒防止板以上の耐震強度を確保して軽量化したことを特徴とする自動販売機の転倒防止板（１）
【請求項２】
本発明の転倒防止板はＣ字曲げした基板（３）とハット曲げした補強板（４）を重ね合わせて固定されているが、このとき補強板（４）は基板（３）より１ｍｍ低くなるように加工されており床に置いた状態で補強板（４）は床面（５）に接していない。このような構成の転倒防止板に重量が約３００〜５００Ｋｇの自動販売機（６）を乗せると基板（３）が反り補強板（４）が床面（５）に接するようになる。この基板（３）の反りは自動販売機が転倒するのを防止する方向に作用する。この反りによる効果は基板（３）の厚さが２〜３ｍｍの時が最も大きい。このように厚さ２〜３ｍｍの金属製板をＣ字曲げした基板（３）と、重ね合わせたときに基板（３）より１ｍｍ低くなるようにハット曲げした補強板（４）を固定し、軽量化して従来の転倒防止板以上の耐震強度を確保したことを特徴とする自動販売機の転倒防止板。
【請求項３】
本発明の転倒防止板は曲げ加工や溶接による歪みが生じ床面に対し水平でなく１〜２ｍｍの隙間が生じる。しかし従来の転倒防止板も床面に対し多少の隙間は生じる。
仮に転倒防止板が水平であったとしても床面が水平でなかったとしたら同じように隙間が生じることがある。ところが本発明の転倒防止板は重量が約３００〜５００Ｋｇの自動販売機（６）を乗せると基板（３）が反り補強板（４）が床面（５）に接するようになる。
この基板（３）の反りは自動販売機が転倒するのを防止するだけでなく床面に対しバランス良く密着する効果もある。又、これは床面が水平でなかった場合にも効果を発揮し床面に対しバランス良く密着しようとする。このように自動販売機を乗せたときに効果を発揮することを特徴とした自動販売機の転倒防止板。
【請求項４】
従来の転倒防止板並びに本発明の請求項１の転倒防止板（１）は自動販売機を１台設置するときに２枚を１組として使用しており、２台の自動販売機を併設する時は４枚の転倒防止板を使用している。ここで例えば自動販売機が隣接する真ん中に併設用の転倒防止板（２）を使用したとすれば１組の転倒防止板（１）と１枚の併設用転倒防止板（２）で２台の自動販売機を固定できることになり効率的であり経済的でもある。
又、２台の自動販売機を併設用の転倒防止板で連結することになるため地震が発生したときは転倒を防止する相乗効果が期待できる。このように自動販売機を２台以上併設するとき隣接する真ん中に使用し、自動販売機を併設するのに必要な耐震強度と幅に余裕のある併設用であることを特徴とする自動販売機の転倒防止板（２）。
【発明の詳細な説明】
【発明の詳細な説明】
【技術分野】
【０００１】本発明は自動販売機が地震等による災害から転倒するのを防止する自動販売機の転倒防止板に関する。
【背景技術】
【０００２】自動販売機の設置基準として、日本工業規格が定める「自動販売機の据付基準」及び、日本自動販売機工業会が定める業界自主基準である「自動販売機の屋内据付基準」がある。これらの基準によると自動販売機を屋内に設置する場合には図９のように自動販売機の脚部に転倒防止用鉄板を固定する方法が示されている。【０００３】従来の転倒防止板としては長さが９００ｍｍ程度・厚さが９ｍｍ程度・幅が２５０ｍｍ程度で、２枚１組で約３３〜３５Ｋｇ程度の重量鉄板がある。又、登録実用新案第３１２４７１４号の軽量鉄板や登録実用新案第３０７０１６７号と登録実用新案第３０７８５４２号のように樹脂や木材の基板に金属製板を固定した軽量型転倒防止板もある。しかし金属や樹脂等の材料が高騰化した現在においては製造コストを下げなければ価格を維持できなくなってきた。【０００４】又、価格のみでなく外観や耐震強度並びに作業性等の品質も要求されてきた。
【発明の開示】
【発明が解決しようとする課題】
【０００５】本発明は以上の問題点を解消することを目的に開発されたものである。本発明の重要な目的は簡単な構造をして耐震強度があり外観が美しく、軽量で作業性に優れ安価に生産できること、地震が発生したときに自動販売機が転倒するのを確実に防止できる自動販売機の転倒防止板を提供することにある。
【課題を解決するための手段】
【０００６】概ね長方形状をした厚さ２〜３ｍｍの金属製板を図７のようにＣ字曲げした基板（３）とハット曲げした補強板（４）を重ね合せて固定した転倒防止板を提供する。【０００７】補足すると図７のようにＣ字曲げした基板（３）とハット曲げした補強板（４）を重ね合わせて固定し、このとき補強板（４）は基板（３）より１ｍｍ低くなるように加工する。この転倒防止板は床に置いた状態では図８のように補強板（４）は床面（５）に接していない。このような構成の転倒防止板に重量が約３００〜５００Ｋｇの自動販売機（６）を乗せると基板（３）が反り補強板（４）が床面（５）に接するようになる。この基板（３）の反りは自動販売機が転倒するのを防止する方向に作用する。【０００８】この反りによる効果は基板（３）の厚さが２〜３ｍｍの時が最も大きい為、自動販売機を設置したときに転倒を防止する効果を最も発揮できるように基板（３）の厚さを２〜３ｍｍとした。【０００９】もう一つの利用方法として自動販売機を図４のように２台以上併設するとき自動販売機が隣接する真ん中に使用する併設用の転倒防止板（２）を提供する。【００１０】併設用の転倒防止板を図４のように使用すると１組の転倒防止板（１）と１枚の併設用転倒防止板（２）で２台の自動販売機を固定できることになる。このように自動販売機を併設するのに必要な耐震強度と幅に余裕を持たせた併設用の転倒防止板を提供する。
【発明の効果】
【００１１】本発明の転倒防止板は図７のようにＣ字曲げした基板（３）とハット曲げした補強板（４）を重ね合わせて固定されている。このとき補強板（４）は基板（３）より１ｍｍ低くなるように加工されており床に置いた状態では図８のように補強板（４）は床面（５）に接していない。このような構成の転倒防止板に重量が約３００〜５００Ｋｇの自動販売機（６）を乗せると基板（３）が反り補強板（４）が床面（５）に接するようになる。この基板（３）の反りは自動販売機が転倒するのを防止する方向に作用する。【０００１２】本発明の転倒防止板は曲げ加工や溶接による歪みが生じ床面に対し水平でなく１〜２ｍｍの隙間が生じる。しかし従来の転倒防止板も床面に対して多少の隙間は生じる。仮に転倒防止板が水平であったとしても床面が水平でなかったとしたら同じように隙間が生じることがある。ところが本発明の転倒防止板は重量が約３００〜５００Ｋｇの自動販売機（６）を乗せると図８のように基板（３）が反り補強板（４）が床面（５）に接するようになる。この基板（３）の反りは自動販売機が転倒するのを防止するだけでなく床面に対しバランス良く密着する効果もある。又、これは床面が水平でなかった場合にも効果を発揮し床面に対しバランス良く密着しようとする。【００１３】この反りによる効果は基板（３）の厚さが２〜３ｍｍの時が最も大きい。自動販売機を設置したときに転倒を防止する効果を最も発揮できるように基板（３）の厚さを２〜３ｍｍとした。同時に厚さが薄くなったことによる軽量化とコスト削減並びに作業性や加工のし易さによる外観の美しさ等の課題が解決でき、従来の転倒防止板以上の耐震強度を確保できた。【００１４】もう一つの利用方法として自動販売機を図４のように２台併設するとき自動販売機が隣接する真ん中に使用する併設用の転倒防止板（２）がある。【００１５】併設用の転倒防止板を図４のように使用すると１組の転倒防止板（１）と１枚の併設用転倒防止板（２）で２台の自動販売機を固定できる。又、２台の自動販売機を併設用の転倒防止板で連結することになるため地震が発生したときは転倒を防止する相乗効果が期待できる。このように自動販売機を併設するのに必要な耐震強度と幅に余裕を持たせた併設用の転倒防止板を提供することでコスト削減と作業性並びに設置されたときの全体観の美しさ等の課題を解決できる。
【実施例】
【００１６】本発明の転倒防止板（１）は厚さが２〜３ｍｍと薄いため２枚１組で１０ｋｇと軽く持ち運びが容易であり作業性に優れている。図５は本発明の転倒防止板（１）に自動販売機を設置したときの正面図である。図４は自動販売機を２台設置したとき本発明の転倒防止板（１）を左右に、併設用として自動販売機が隣接する真ん中に本発明の転倒防止板（２）を使用したときの正面図である。図６は本発明の転倒防止板に自動販売機を設置したときの側面図である。図９は本発明の転倒防止板に自動販売機の脚（７）をアンカープレート（８）とボルト（９）で固定したときの断面図である。
【図面の簡単な説明】
【図１】本発明の転倒防止板の斜視図である。
【図２】本発明の併設用転倒防止板の斜視図である。
【図３】本発明の転倒防止板の構成を示す斜視断面図である。
【図４】本発明の転倒防止板に自動販売機を２台設置したときの正面図である。
【図５】本発明の転倒防止板に自動販売機を１台設置したときの正面図である。
【図６】本発明の転倒防止板に自動販売機を設置したときの側面図である。
【図７】本発明の構成を示す断面図である。
【図８】本発明の転倒防止板と床面の断面図である。
【図９】自動販売機の脚を転倒防止板に固定したときの断面図である。
【符号の説明】
１は本発明の２枚を１組とした転倒防止板
２は本発明の併設用の転倒防止板
３は本発明の基板
４は本発明の補強板
５は床面
６は自動販売機
７は自動販売機の脚
８は自動販売機の脚を固定するアンカープレート
９はアンカープレートを固定するボルト
【図１】
2009104572.tif 000003
【図２】
2009104572.tif 000004
【図３】
2009104572.tif 000005
【図４】
2009104572.tif 000006
【図５】
2009104572.tif 000007
【図６】
2009104572.tif 000008
【図７】
2009104572.tif 000009
【図８】
2009104572.tif 000010
【図９】
2009104572.tif 000011